(57)【要約】【課題】  本発明は、ストラップに形成した引き出し穴を、イヤホーンを収納可能なイヤホーン収納部材で覆うことにより、ストラップの外観向上と強度アップとを図ることができるイヤホーン装置を提供すること。【解決手段】  本発明のイヤホーン装置１は、一端部にイヤホーン１１が接続されたイヤホーンケーブル５と、このイヤホーンケーブル５を内部に埋設すると共に人の首部に掛け留め可能な環状に形成されたストラップ２とを備え、イヤホーンケーブル５は、ストラップ２から所定長さで外部に延長形成され、ストラップ２には、イヤホーン１１を保持して収納可能なイヤホーン収納部材８が配設されている。【選択図】        図１
2005142802.tif 000002
【特許請求の範囲】
【請求項１】
一端部にイヤホーンが接続されたイヤホーンケーブルと、このイヤホーンケーブルを内部に埋設すると共に人の首部に掛け留め可能な環状に形成されたストラップとを備え、前記イヤホーンケーブルは、前記ストラップから所定長さで外部に延長形成され、前記ストラップには、前記イヤホーンを収納可能なイヤホーン収納部材が配設されていることを特徴とするイヤホーン装置。
【請求項２】
前記イヤホーン収納部材は、前記ストラップに固定可能な固定部を有する下ケースと、前記固定部上を覆うと共に収納した前記イヤホーンを保持可能な保持部を有する上ケースとからなっていることを特徴とする請求項１記載のイヤホーン装置。
【請求項３】
前記ストラップから外部に延出する前記イヤホーンケーブルは、前記ストラップから延出されて前記下ケースの前記固定部から前記イヤホーン収納部材の外部に導出されていることを特徴とする請求項２記載のイヤホーン装置。
【請求項４】
前記ストラップは、第１ストラップと、この第１ストラップの両端部に前記イヤホーン収納部材を介して接続した２本の第２ストラップとからなり、この第２ストラップのそれぞれは、前記イヤホーン収納部材に接続した一端部側と反対側の他端部側が連結部材で連結されて、前記ストラップが前記環状になっていることを特徴とする請求項２または３記載のイヤホーン装置
【請求項５】
前記第２ストラップのそれぞれには、内部に前記イヤホーンケーブルが埋設され、前記イヤホーン収納部材は、前記下ケースの前記固定部で、前記第１ストラップの端部と前記第２ストラップの前記一端部とを固定し、前記イヤホーンケーブルは、前記固定部から前記イヤホーン収納部材に形成したケーブル出口を介して外部に導出されていることを特徴とする請求項３または４記載のイヤホーン装置。
【請求項６】
前記第２ストラップの内部には、所定の隙間を有して互いに対向する接点部が形成されたメンブレンが埋設されていることを特徴とする請求項４または５記載のイヤホーン装置。
【請求項７】
前記イヤホーン収納部材は、前記下ケースと前記上ケースとが互いにスナップ係止可能になっていることを特徴とする請求項２乃至６のいずれかに記載のイヤホーン装置。
【発明の詳細な説明】
【技術分野】
【０００１】
本発明はイヤホーン装置に係わり、イヤホーンを有する首掛け可能なストラップに、未使用時のイヤホーンを収納可能なイヤホーン収納部材を取り付けたイヤホーン装置に関する。
【背景技術】
【０００２】
従来のイヤホーン装置は、図４に示すように、幅広で帯状のストラップ５１が環状に形成されて、人の首等に掛けることができるようになっている。
前記ストラップ５１は、外周部が布等の被覆部材（図示せず）で被覆されて、図示上部側の左右２箇所に、引き出し穴５１ａが形成されている。
前記引き出し穴５１ａからは、イヤホーンケーブル５２が所定長さで引き出されている。そして、イヤホーンケーブル５２の先端部には、イヤホーン５３が接続されている。
【０００３】
また、ストラップ５１は、環状の図示下部側が連結部材５４で連結され、この連結部５４には、スイッチ等の入力部（図示せず）が配設されている。前記イヤホーンケーブル５２は、ストラップ５１の外周部を被覆する被覆部材の内部に埋設されて、引き出し穴５１ａから連結部５４まで延長形成されて入力部に接続されている。
また、連結部５４の入力部からは、入力部に接続された所定長さのケーブル５５が引き出し形成され、このケーブル５５は、音声信号用のケーブルと、入力部から出力される信号送信用のケーブルとからなり、先端部にプラグ（図示せず）が接続されている。
【０００４】
このような構成の従来のイヤホーン装置は、ケーブル５５の先端部のプラグを携帯用音響機器５６等のジャック部（図示せず）に挿入して接続することにより、携帯用音響機器５６を衣服のポケット、あるいはバッグ等に入れた状態で、ストラップ５１を首に掛け、イヤホーン５３を操作者の耳に装着して使用可能になっている。
そして、連結部５４の入力部（図示せず）の操作により、ＣＤ等の音楽の再生／停止等の操作を行えるようになっている。
【０００５】
しかし、前述したような従来のイヤホーン装置は、音楽等を聴かな未使用時において、耳から外したイヤホーン５３が、ぶらついて見栄えが悪くなると共に邪魔になっていた。
そのために、音楽等を聴かないときのイヤホーン未使用時は、首からストラップ５１を首から外していたので、その都度首から着脱するのが煩雑であるという弊害があった。
【０００６】
このような弊害を解決するために従来提案されているものとして、特許文献２に記載のような、図示は省略するが、イヤホーンを接続したイヤホーンケーブルが、首掛け可能なストラップの内部に埋設されている。
前記ストラップの二股状の基部には、イヤホーンケーブルを巻取り可能な巻取り装置が配設されている。
そして、音楽等を聴かないときのイヤホーン未使用時には、イヤホーンケーブルを巻取り装置に巻取ることで、耳から外したイヤホーンのぶらつきを防止することができた。
【特許文献１】特開２００１−２５８０７８号公報
【特許文献２】特開２００１−１６９３８２号公報
【発明の開示】
【発明が解決しようとする課題】
【０００７】
しかし、前述したような従来のイヤホーン装置は、ストラップ５１の外周部を被覆する布等からなる被覆部材に、イヤホンケーブル５２を引き出すための引き出し穴５１ａが形成されたいるので、布がほつれて引き出し穴５１ａの外観（見栄え）が悪くなる問題があった。
また、イヤホーンケーブル５２をストラップ５１に対して直角方向に引き出そうとすると、ストラップ２の外周部を被覆する布等の被覆部材が、引き出し穴５１ａから破れたりする強度的な問題があった。
【０００８】
また、イヤホーンケーブルを巻取る巻取り装置を備えたものは、巻取り装置が高コストとなって、イヤホーン装置がコストアップになる問題があった。
本発明は前述したような課題を解決するもので、ストラップに形成した引き出し穴を、イヤホーンを収納可能なイヤホーン収納部材で覆うことにより、ストラップの外観向上と強度アップとを図ることができるイヤホーン装置を提供することを目的とする。
【課題を解決するための手段】
【０００９】
前記課題を解決するための第１の手段として本発明のイヤホーン装置は、一端部にイヤホーンが接続されたイヤホーンケーブルと、このイヤホーンケーブルを内部に埋設すると共に人の首部に掛け留め可能な環状に形成されたストラップとを備え、前記イヤホーンケーブルは、前記ストラップから所定長さで外部に延長形成され、前記ストラップには、前記イヤホーンを収納可能なイヤホーン収納部材が配設されていることを特徴とする。
【００１０】
また、前記課題を解決するための第２の手段として、前記イヤホーン収納部材は、前記ストラップに固定可能な固定部を有する下ケースと、前記固定部上を覆うと共に収納した前記イヤホーンを保持可能な保持部を有する上ケースとからなっていることを特徴とする。
【００１１】
また、前記課題を解決するための第３の手段として、前記ストラップから外部に延出する前記イヤホーンケーブルは、前記ストラップから延出されて前記下ケースの前記固定部から前記イヤホーン収納部材の外部に導出されていることを特徴とする。
【００１２】
また、前記課題を解決するための第４の手段として、前記ストラップは、第１ストラップと、この第１ストラップの両端部に前記イヤホーン収納部材を介して接続した２本の第２ストラップとからなり、この第２ストラップのそれぞれは、前記イヤホーン収納部材に接続した一端部側と反対側の他端部側が連結部材で連結されて、前記ストラップが前記環状になっていることを特徴とする。
【００１３】
また、前記課題を解決するための第５の手段として、前記第２ストラップのそれぞれには、内部に前記イヤホーンケーブルが埋設され、前記イヤホーン収納部材は、前記下ケースの前記固定部で、前記第１ストラップの端部と前記第２ストラップの前記一端部とを固定し、前記イヤホーンケーブルは、前記固定部から前記イヤホーン収納部材に形成したケーブル出口を介して外部に導出されていることを特徴とする。
【００１４】
また、前記課題を解決するための第６の手段として、前記第２ストラップの内部には、所定の隙間を有して互いに対向する接点部が形成されたメンブレンが埋設されていることを特徴とする。
【００１５】
また、前記課題を解決するための第７の手段として、前記イヤホーン収納部材は、前記下ケースと前記上ケースとが互いにスナップ係止可能になっていることを特徴とする。
【発明の効果】
【００１６】
本発明に係わるイヤホーンケーブルは、ストラップから所定長さで外部に延長形成され、前記ストラップには、イヤホーンを収納可能なイヤホーン収納部材が配設されているので、未使用時のイヤホーンをイヤホーン収納部材に収納することにより、イヤホーンのぶらつきを防止することができる。
【００１７】
また、イヤホーン収納部材は、ストラップに固定可能な固定部を有する下ケースと、固定部上を覆うと共に収納したイヤホーンを保持可能な保持部を有する上ケースとからなっているので、簡単な構造で未使用時のイヤホーンを収納することができる。そのためにコストダウンが可能なイヤホーン装置を提供できる。
【００１８】
また、ストラップから外部に延出するイヤホーンケーブルは、ストラップから延出されて下ケースの固定部からイヤホーン収納部材の外部に導出されているので、ストラップからイヤホーンケーブルが延出する部分が固定部で固定することができる。そのために、イヤホーンに引っ張り荷重等が加わってもイヤホンがストラップから抜け出すことが無い。
【００１９】
また、ストラップは、第１ストラップと、この第１ストラップの両端部にイヤホーン収納部材を介して接続した２本の第２ストラップとからなり、この第２ストラップのそれぞれは、イヤホーン収納部材に接続した一端部側と反対側の他端部側が連結部材で連結されて、ストラップが環状になっているので、異なる２種類の第１、第２ストラップを、イヤホーン収納部材で接続することができ、組立が容易である。
【００２０】
また、第２ストラップのそれぞれには、内部にイヤホーンケーブルが埋設され、イヤホーン収納部材は、下ケースの固定部で、第１ストラップの端部と第２ストラップの一端部とを固定し、イヤホーンケーブルは、固定部からイヤホーン収納部材に形成したケーブル出口を介して外部に導出されているので、イヤホーンケーブルが第２ストラップから延出する部分をイヤホーン収納部材で覆って外観を良くすることができる。
【００２１】
また、第２ストラップの内部には、所定の隙間を有して互いに対向する接点部が形成されたメンブレンが埋設されているので、接点部が形成された部分の第２ストラップを操作することで、例えばラジオの選局、あるいは音量調整等を行うことができる。
【００２２】
また、イヤホーン収納部材は、下ケースと上ケースとが互いにスナップ係止可能になっているので、組立が容易である。また修理等の時は、分解が容易である。
【発明を実施するための最良の形態】
【００２３】
以下、図面に基づいて本発明の実施の形態について説明する。まず、図１は本発明のイヤホーン装置を説明する概略図であり、図２は本発明に係わるイヤホーン収納部の正面図であり、図３は本発明に係わるイヤホーン収納部材の分解斜視図である。
まず、本発明のイヤホーン装置１は、図１に示すように、幅広で帯状のストラップ２が所定長さに形成されている。そして、ストラップ２は、１本の第１ストラップ３と２本の第２ストラップ４、４とからなり、第１ストラップ３の両端部に、後述するイヤホーン収納部材８を介してそれぞれ第２ストラップ４、４の一端部側が接続されている。
【００２４】
前記第１、第２ストラップ３、４は、内部が平坦で帯状の樹脂材料等で形成された基材と、この基部の外周部が布、あるいは樹脂材料等のシートからなる被覆部材で被覆されている。前記第２ストラップ４の内部には、イヤホーンケーブル５が埋設されている。
そして、第２ストラップ４、４の他端部側（図示下端部側）が連結部材６で連結されて、人の首部に掛け留め可能な環状に形成されている。
【００２５】
前記連結部６には、押し釦スイッチ等からなる入力部７が形成され、この入力部７には、第２ストラップ４に埋設しているイヤホーンケーブル５が電気的に接続されている。
前記入力部７からは、従来例と同じように、所定長さのケーブル（図せず）が引き出し形成され、このケーブル先端部にプラグ（図示せず）が接続されて、携帯用音響機器（図示せず）等に電気的に接続可能になっている。
【００２６】
また、第１、第２ストラップ３、４を接続するイヤホーン収納部材８は、図２、図３に示すように、第１、第２ストラップ３、４を連結する下ケース９が配設されている。前記下ケース９は、樹脂材料等で外形が略矩形状に形成され、第１ストラップ３の端部を固定可能な第１固定部９ａと、２ストラップ４の一端部側を固定可能な第２固定部９ｂとが形成されている。
【００２７】
また、下ケース９には、第１固定部９ａの図示左側近傍の位置に、第２固定部９ｂから延出されるイヤホーンケーブル５を、外部に導出するためのケーブル出口９ｃが形成されている。
前記下ケース９は、樹脂材料からなり、第１、第２固定部９ａ、９ｂは、第１ストラップ３の端部側および第２ストラップ４の一端部側を挿入可能な溝（図示せず）が形成されいる。
【００２８】
そして、前記溝に第１、第２ストラップ３、４を挿入した状態で、第１、第２固定部９ａ、９ｂを例えば熱カシメ等を行うことにより、第１、第２ストラップ３、４が下ケース９に固定されている。
また、第２ストラップ４から延出するイヤホーンケーブル５は、第２ストラップ４の一端部側を第２固定部９ｂに固定すると、第２固定部９ｂからケーブル出口９ｃ側に引き出されるようになっている。
即ち、イヤホーンケーブル５は、第２ストラップ４からの延出部分が第２固定部４で固定されているので、イヤホ−ンケーブル５に引っ張り力が加わっても、イヤホーンケーブル５が第２ストラップ４から抜け出すことはない。
【００２９】
また、イヤホーン収納部材８には、第１、第２固定部９ａ、９ｂ上を覆うように、下ケース９の上面側に上ケース１０が配設され、この上ケース１０が下ケース９にスナップ係止可能になっている。
前記上ケース１０は、第１、第２固定部９ａ、９ｂ上を覆う基部１０ａと、この基部１０ａの図示左右から舌片状の保持部１０ｂ、１０ｂが、基部１０ａと所定の隙間を有して互いに対向する方向に延長形成されている。
【００３０】
前記基部１０ａと保持部１０ｂとの間の隙間に、後述するイヤホーン１１を収納して保持可能になっている。
また、イヤホーンケーブル５の延出端部には、人の耳に挿入して装着可能な外形が略円形状のイヤホーン１１が接続されている。
前記イヤホーン収納部材８に収納したイヤホーン１１は、図２に示すように、矢印Ａ方向の上方に容易に取り出し可能になっている。
【００３１】
前述したような、本発明のイヤホーン装置１は、第１、第２ストラップ３、４がイヤホーン収納部材８、８で接続されると共に、第２ストラップ４、４の他端部側が連結部材６で連結されて外観が環状になっている。
そして、環状のストラップ２を操作者の首に掛け留めして、連結部材６から所定長さで延びるケーブルのプラグを、携帯用音響機器等に接続し、イヤホーン１１を耳に装着する。
その後、入力部７を操作することにより、携帯用音響機器等から音楽等を聴くことができる。
【００３２】
また、ストラップ２を首に掛け留めした状態で、音楽等を聴かない未使用時に、耳から外したイヤホーン１１を、イヤホーン収納部材８の基部１０ａと保持部１０ｂの隙間部分に保持する。このことにより、イヤホーン収納部材８にイヤホーン１１が収納されて、イヤホーン１１がぶらつくのを防止できる。
そのために、イヤホーン１１を外しても、イヤホーン装置１は、首に掛け留めしたままでよい。
また、耳から外したイヤホーン１１は、イヤホーン収納部８に収納することにより、従来のようなイヤホーンケーブル５を巻取る巻取り装置を不要にできる。
【００３３】
尚、本発明の実施の形態におけるストラップ２は、１本の第１ストラップ３と２本の第２ストラップ４をイヤホーン収納部材８で接続したもので説明したが、１本の帯状のストラップ（図示せず）を、図示を省略するが、両端部を連結部材で連結して、首に掛け留め可能な環状に形成し、１本のストラップにイヤホーン収納部材を固定するようにしたものでも良い。
即ち、ストラップ２には、イヤホーン５を収納可能なイヤホーン収納部材８が配設されている。
【００３４】
また、第２ストラップ４は、図示を省略するが、内部に埋設する基材が、所定厚さのスペーサを介して互いに対向する帯状のフィルムシートからなり、前記スペーサを部分的に取り去って、所定の隙間を有して互いに対向するフィルムシートに、それぞれ接点部を形成したメンブレンで構成したものでも良い。
即ち、第２ストラップ４の内部には、所定の隙間を有して互いに対向する接点部が形成されたメンブレンが埋設されている。
このようなメンブレンを埋設したイヤホーン装置は、接点部が形成された部分を操作して、互いに対向する接点部を導通させることにより、例えばラジオの選局、あるいは音量調整等を首元で行うことができ、操作性がよい。
【図面の簡単な説明】
【００３５】
【図１】本発明のイヤホーン装置を説明する概略図である。
【図２】本発明に係わるイヤホーン収納部材の平面図である。
【図３】本発明に係わるイヤホーン収納部材の分解斜視図である
【図４】従来のイヤホーン装置を説明する概略図である。
【符号の説明】
【００３６】
１  本発明のイヤホーン装置
２  ストラップ
３  第１ストラップ
４  第２ストラップ
５  イヤホーンケーブル
６  連結部材
７  入力部
８  イヤホーン収納部材
９  下ケース
９ａ  第１固定部
９ｂ  第２固定部
９ｃ  ケーブル出口
１０  上ケース
１０ａ  基部
１０ｂ  保持部
１１  イヤホーン
【図１】
2005142802.tif 000003
【図２】
2005142802.tif 000004
【図３】
2005142802.tif 000005
【図４】
2005142802.tif 000006